(57)【要約】【課題】音声入力により認証情報（パスワード等）を入力して警報装置の機能を無効にし、また逆に有効にして、ガードマンの巡回時等の一時的に警報装置を無効化する必要がある場合の操作を簡易にする。【解決手段】音声入力部１９へ入力された音声が音声認識部２１により音声認識されてテキストデータに変換され、変換された後のテキストデータと解除／復帰用メッセージ記憶部４０に記憶されているテキストデータとが照合される。そして、この照合結果が、解除用の認証情報のテキストデータと一致した場合は赤外線センサ１７による異常状態の検知が無効にされ、復帰用の証情報のテキストデータと一致した場合は赤外線センサ１７による異常状態の検知結果が有効にされる。【選択図】        図２
2004206635.tif 000002
【特許請求の範囲】
【請求項１】
周囲環境の状態を検知する検知手段を備え、該検知手段が異常状態を検知した場合に他の端末装置へ異常が発生した旨を送信する通信端末装置であって、
音声入力手段と、
該音声入力手段へ入力された音声を音声認識してテキストデータに変換する音声認識手段と、
前記検知手段による検知結果を無効化するための認証情報をテキストデータとして記憶した認証情報記憶手段と、
前記音声認識手段により変換された後のテキストデータと前記認証情報記憶手段に記憶されているテキストデータとを照合する照合手段と、
前記照合手段による照合結果が、前記認証情報のテキストデータと一致した場合は前記検知手段による検知結果を無効にする制御手段と
を備えたことを特徴とする通信端末装置。
【請求項２】
前記認証情報記憶手段は、更に前記検知手段による検知結果を有効化するための認証情報をテキストデータとして記憶しており、
前記制御手段は、前記照合手段による照合結果が、前記検知手段による検知結果を有効化するための認証情報のテキストデータと一致した場合は前記検知手段による検知結果を有効にするようにしてあること
を特徴とする請求項１に記載の通信端末装置。
【請求項３】
周囲環境の音を集音するマイクロフォンを更に備え、
前記音声入力手段は、前記マイクロフォンから前記認証情報を音声入力するようにしてあることを特徴とする請求項１又は２に記載の通信端末装置。
【請求項４】
携帯通話装置との通話手段を更に備え、
前記音声入力手段は、前記携帯通話装置から送話された前記認証情報を前記通話手段を介して音声入力するようにしてあることを特徴とする請求項１又は２に記載の通信端末装置。
【請求項５】
音声再生手段と、警告用の音声メッセージを記憶した警告メッセージ記憶手段とを更に備え、
前記制御手段は、他の端末装置へ異常が発生した旨を送信するのに伴って、前記音声再生手段から前記警告メッセージ記憶手段に記憶されている警告メッセージを再生出力するようにしてあることを特徴とする請求項１乃至４のいずれかに記載の通信端末装置。
【発明の詳細な説明】
【０００１】
【発明の属する技術分野】
本発明は、通信端末装置に関し、より詳細には、電話回線，インターネット等により外部との音声，ファクシミリ，電子メール等による通信が可能な通信端末装置に警報機能を付設した装置に関する。
【０００２】
【従来の技術】
侵入者を検知して外部へ通報する警報装置は種々の方式が実用化されているが、従来は専用の装置を専用の回線で警備会社等に接続する構成が一般的であった。しかし、近年の通信手段の発達によりたとえば室内に置かれた携帯電話機の近傍に人間が接近すると所定の通信先へ自動的に発呼し、音声メッセージで不審者の侵入を報知したり、音声情報，画像情報を取得してインターネットを介して送信するような技術も開発されている（特許文献１参照）。
【０００３】
ところで、上述の特許文献１に開示された技術に限らず、警報装置ではその機能を有効にする際、また逆に無効にする際に本来の目的に反して警報が発生される虞がある。このため、たとえば警報装置の機能を有効にした時点から所定時間内は警報を発生しないような構成、また逆に警報装置の機能を無効にする場合には異常を検知した時点から所定時間内に無効化の操作を行なえば警報が発生しないような構成が採られている場合が多い。
【０００４】
【特許文献１】
特開２００２−１８３８５１号
【０００５】
【発明が解決しようとする課題】
しかし、たとえばガードマンの巡回時等にはその都度、警報装置を無効化する必要があり、多数の部屋それぞれに警報装置が設置されているような場合には、それぞれの警報装置を個別に無効にし、また有効にする操作を反復する必要があり、非常に煩瑣であると共に無駄な時間を要していた。
【０００６】
本発明は以上のような事情に鑑みてなされたものであり、音声入力により認証情報（パスワード等）を入力して警報装置の機能を無効にし、また逆に有効にすることが可能な警報機能を有する通信端末装置の提供を目的とする。
【０００７】
【課題を解決するための手段】
第１発明に係る通信端末装置は、周囲環境の状態を検知する検知手段を備え、該検知手段が異常状態を検知した場合に他の端末装置へ異常が発生した旨を送信する通信端末装置であって、音声入力手段と、該音声入力手段へ入力された音声を音声認識してテキストデータに変換する音声認識手段と、前記検知手段による検知結果を無効化するための認証情報をテキストデータとして記憶した認証情報記憶手段と、前記音声認識手段により変換された後のテキストデータと前記認証情報記憶手段に記憶されているテキストデータとを照合する照合手段と、前記照合手段による照合結果が、前記認証情報のテキストデータと一致した場合は前記検知手段による検知結果を無効にする制御手段とを備えたことを特徴とする。
【０００８】
このような第１発明の通信端末装置では、音声入力手段へ入力された音声が音声認識されてテキストデータに変換され、変換された後のテキストデータと認証情報記憶手段に記憶されているテキストデータとが照合される。そして、この照合結果が認証情報のテキストデータと一致した場合は検知手段による検知が無効にされる。
【０００９】
第２発明に係る通信端末装置は第１発明において、前記認証情報記憶手段は、更に前記検知手段による検知結果を有効化するための認証情報をテキストデータとして記憶しており、前記制御手段は、前記照合手段による照合結果が、前記検知手段による検知結果を有効化するための認証情報のテキストデータと一致した場合は前記検知手段による検知結果を有効にするようにしてあることを特徴とする。
【００１０】
このような第２発明の通信端末装置では、照合手段による照合結果が検知手段による検知結果を有効化するための認証情報のテキストデータと一致した場合は検知手段による検知が有効にされる。
【００１１】
第３発明に係る通信端末装置は第１又は第２発明において、周囲環境の音を集音するマイクロフォンを更に備え、前記音声入力手段は、前記マイクロフォンから前記認証情報を音声入力するようにしてあることを特徴とする。
【００１２】
このような第３発明の通信端末装置では、検知手段による検知結果を無効化するための、または有効化するための認証情報がマイクロフォンから音声入力される。
【００１３】
第４発明に係る通信端末装置は第１又は第２発明において、携帯通話装置との通話手段を更に備え、前記音声入力手段は、前記携帯通話装置から送話された前記認証情報を前記通話手段を介して音声入力するようにしてあることを特徴とする。
【００１４】
このような第４発明の通信端末装置では、検知手段による検知結果を無効化するための、または有効化するための認証情報が携帯通話装置（携帯電話機）からの送話により音声入力される。
【００１５】
第５発明に係る通信端末装置は第１乃至第４発明において、音声再生手段と、警告用の音声メッセージを記憶した警告メッセージ記憶手段とを更に備え、前記制御手段は、他の端末装置へ異常が発生した旨を送信するのに伴って、前記音声再生手段から前記警告メッセージ記憶手段に記憶されている警告メッセージを再生出力するようにしてあることを特徴とする。
【００１６】
このような第５発明の通信端末装置では、他の端末装置へ異常が発生した旨を送信するのに伴って、音声再生手段から警告メッセージ記憶手段に記憶されている警告メッセージが再生出力される。
【００１７】
【発明の実施の形態】
以下、本発明をその実施の形態を示す図面に基づいて詳述する。なお、以下の実施の形態においては、本発明の通信端末装置は電話回線及び／又はインターネットにより外部と接続されているいわゆる複合機（コピー機，プリンタ，ファクシミリ装置としての各機能を併せ持つ装置）に適用した例を示す。しかし本発明はこのような実施の形態のみならず、専用の警報装置として構成することも勿論可能である。
【００１８】
図１は本発明の通信端末装置としての複合機１００の外観の概略を示す模式図である。なお、本発明の複合機１００は通常は一般的な複合機として機能する通常モードと、監視装置として機能する監視モードとを所定のスイッチの操作、または所定の認証情報の音声入力により切り換えることが出来るように、または所定の時刻に自動的に両モードを切り換えるように構成されている。
【００１９】
本発明の複合機１００は基本的には従来一般的な複合機と同様に、コピー機としての機能，プリンタとしての機能，ファクシミリ装置としての機能を有している。また本発明の複合機１００の前面には赤外線センサ１７，ＣＣＤカメラ１８，スピーカ９等が備えられている。
【００２０】
赤外線センサ１７は従来一般的な複合機，コピー機等にも備えられている場合が多い。従来の複合機，コピー機等では通常は待機状態にあり、ユーザ、即ち人間がある距離内に接近するとそれを検知してたとえば稼働状態への移行を開始するために赤外線センサ１７が備えられている。しかし、本発明の複合機１００ではこの赤外線センサ１７を監視モードにおいて周囲環境の状態を検知するために、具体的には侵入者の検知用に利用する。
【００２１】
またＣＣＤカメラ１８は従来の複合機，コピー機においても、たとえば紙幣等の違法なコピーを防止するため等の目的で使用者を記録するために備えられている場合がある。本発明の複合機１００ではこのＣＣＤカメラ１８を監視モードにおいて異常状態の検知時の周囲環境の状況、具体的には侵入者を撮像する目的で利用する。なお、ＣＣＤカメラ１８は静止画像のみを撮像することが可能なものであってもよいし、動画を撮像することが可能なものであってもよい。
【００２２】
更にスピーカ９はいわゆる音声ガイダンス機能を有する従来の複合機，コピー機等に備えられている。本発明の複合機１００ではこのスピーカ９を監視モードにおいて異常状態の検知時に侵入者に対する警告メッセージを音声出力する目的で利用する。
【００２３】
また、本発明の複合機１００のユーザの操作に邪魔にならない部分、たとえば図示するような奥側の部分にはマイクロフォン２０が設置されている。このマイクロフォン２０は後述するように、監視モード時に監視モードを一時的に解除するための認証情報としての音声メッセージを直接入力するために、また監視モード時に監視モードが一時的に解除されている場合に監視モードに復帰させるための認証情報としての音声メッセージを直接入力するために利用される。
【００２４】
なお、参照符号１４は数字入力のためのテンキー，文字入力のための文字キー等を有する操作部であり、通常モードと監視モードとを切り換えるためのモード切換キー１４０も備えられている。また、参照符号１５はＬＣＤを利用した表示部である。
【００２５】
なお、参照符号１０４は携帯電話機であり、上述したマイクロフォン２０に代えて、監視モード時に監視モードを一時的に解除するための音声メッセージを送話により入力するために、また監視モード時に監視モードが一時的に解除されている場合に監視モードに復帰させるための音声メッセージを送話により入力するために利用される。
【００２６】
図２は上述のような外観を有する本発明の複合機１００の機能構成例を示すブロック図である。
【００２７】
本発明の複合機１００は、主制御部（ＣＰＵ）１を制御中枢としてバス２を介して以下のような各部の動作を制御する。
【００２８】
バス２には、主制御部１の制御手順（コンピュータプログラム）等を記録したＲＯＭ３、主制御部１による制御動作中に種々のデータを一時的に記憶するＲＡＭ４、画像データを一時的に記憶する画像メモリ（ＤＲＡＭ等）５、画像メモリ５に記憶された画像データをファクシミリ送信するために符号化し、また逆にファクシミリ通信により受信したデータを画像データに復号化するためのコーデック６、音声による種々のメッセージが適宜の音声データ形式で予め記録されている音声メッセージメモリ７、この音声メッセージメモリ７を制御して音声データを読み出してスピーカ９から再生出力させるメッセージ発生制御部８、前述した赤外線センサ１７及びＣＣＤカメラ１８等が接続されている。
【００２９】
なお、ＲＡＭ４には解除／復帰用メッセージ記憶部４０及び異常通知メッセージ記憶部４１が適宜の領域に設定されている。解除／復帰用メッセージ記憶部４０には監視モードを一時的に解除するためのメッセージ、たとえば「けいほうをかいじょしてください」等のようなメッセージがテキストデータとして、また監視モードへ復帰するためのメッセージ、たとえば「けいほうをせっていしてください」等のようなメッセージがテキストデータとして予め記憶されている。
【００３０】
また、異常通知メッセージ記憶部４１には「異常が発生しました。」等のような異常が発生した旨を表わすメッセージがテキストデータとして予め記憶されている。
【００３１】
なお、監視モードを一時的に解除するため及び監視モードに復帰させるためのメッセージとしては、上述のような具体的なメッセージのみならず、数字，アルファベット等を羅列したパスワード形式でもよい。また、このような監視モードを一時的に解除するため及び監視モードに復帰させるためのメッセージは高頻度で変更することが望ましいため、操作部１４の操作により、または後述する外部（公衆）通信網１０１、ＬＡＮ等の通信網１０２を介して外部から解除／復帰用メッセージ記憶部４０の記憶内容を変更可能に構成することが好ましい。または他の方法として、解除／復帰用メッセージ記憶部４０には予め複数のメッセージをテキストデータとして記憶させておき、たとえば曜日，日付等に応じて異なるメッセージを有効にするようにしてもよい。
【００３２】
また、画像メモリ５は一般的なＤＲＡＭを使用しているが、高速処理が可能なＳＤＲＡＭ又はＤＤＲ―ＳＤＲＡＭ等である方が画像形成装置のスループット向上のためには好ましい。
【００３３】
また、音声メッセージメモリ７には本発明の複合機１００を使用するための通常モード時のガイダンス用の種々のメッセージの他に、異常状態の検知時の威嚇用のメッセージを記憶した威嚇用メッセージ記憶部７０が適宜の領域に設定されている。この威嚇用メッセージ記憶部７０には威嚇用のメッセージ、たとえば「あなたをさつえいしました」「がぞうはすでにけいびがいしゃへおくりました」等のようなメッセージが音声データとして予め記憶されている。このような威嚇用メッセージ記憶部７０に記憶されているメッセージは主制御部１からの指示を受けてメッセージ発生制御部８が読み出してスピーカ９から音声出力させる。
【００３４】
赤外線センサ１７は通常モードでは人間の接近を検知した場合に待機状態から稼働開始状態に移行するため等に利用されるが、監視モードでは侵入者を検知するために利用される。なお、この赤外線センサ１７の検知範囲は複合機１００の前面の扇形状の数メートルの範囲である。
【００３５】
ＣＣＤカメラ１８は通常モードではユーザの確認のために利用されるが、監視モードでは侵入者を撮像するために利用される。なお、前述したように、ＣＣＤカメラ１８は静止画像のみを撮像可能であってもよいし、動画を撮像可能であってもよい。
【００３６】
またバス２には、一般アナログ回線等の外部（公衆）通信網にデータを送受信するための変復調機能を備えたモデム１０、このモデム１０と外部（公衆）通信網１０１とを接続する場合に通信相手を呼び出すためにダイヤル信号を送出する機能を備えたＮＣＵ（網制御部）１１、コピーすべき原稿またはファクシミリ送信すべき原稿をデジタルデータの画像データとして読み取る画像読取部１２、コピーすべき原稿を読み取った場合にその画像データを、またはファクシミリ通信により受信した画像データを用紙に記録出力するプリンタ１３、テンキー及びボタン等を備え、これらの操作が行なわれた場合に対応する信号を入力する操作部１４、使用方法の案内、処理状態の途中経過等の状況表示又は操作確認を表示するための表示部（たとえばＬＣＤ等）１５、ＬＡＮ等の通信網１０２に接続するためのＬＡＮＩ／Ｆ１６、携帯電話機１０４から外部（公衆）通信網１０１，ＮＣＵ１１を経由して送話された音声またはマイクロフォン２０から直接入力された音声を取り込む音声入力部１９、この音声入力部１９が取り込んだ音声を音声認識してテキストデータに変換する音声認識部２１等が接続されている。
【００３７】
なお、操作部１４にはコピー部数を入力するため、またはファクシミリ送信の際の宛先の電話番号（ファクシミリ番号）を入力する等のために使用されるテンキーが備えられていることは言うまでもないが、前述したように、本発明の複合機１００を通常モードと監視モードとのいずれかのモードに切り換えるモード切換キー１４０等も備えられている。
【００３８】
また、音声入力部１９は、後述するようにたとえば携帯電話機１０４から着呼した場合に、携帯電話機１０４から送話された音声を外部（公衆）通信網１０１からＮＣＵ１１を経由して取り込んで音声認識部２１へ与える。また音声入力部１９はマイクロフォン２０へ直接入力された音声を取り込んで音声認識部２１へ与える。従って、音声認識部２０は携帯電話機１０４から送話された音声またはマイクロフォン２０へ直接入力された音声を音声認識し、テキストデータに変換することができる。
【００３９】
次に、上述のような構成の本発明の複合機の監視モードにおける動作について、主制御部１の処理手順を示す図３のフローチャートを参照して以下に説明する。但し、以下の説明においては、本発明の複合機１００の通常モードにおける動作については従来の複合機と基本的には同様であるのでその説明を省略し、夜間，休日等に監視機能を利用して監視モードにある場合の動作についてのみ説明する。
【００４０】
なお、本発明の複合機１００を通常モードから監視モードに切り換えるためには、前述したモード切換キー１４０を操作すればよい。但し、マイクロフォン２０を通じて、または携帯電話機１０４からの送話による音声入力によりモードの切り換えを指示し、主制御部１がこの指示に従ってモードを切り換えるように構成することも可能である。また、第１の所定時刻において通常モードから監視モードへ、第２の所定時刻において監視モードから通常モードへ自動的に切り換わるように設定することも、更にこれに加えて曜日によって、具体的には土曜及び日曜は終日監視モードに自動的に切り換わるように構成することも勿論可能である。
【００４１】
本発明の複合機１００が監視モードにある場合、赤外線センサ１７が人体（侵入者）を検知するか（ステップＳ１１）、または監視モードの一時解除の指示（監視モードを無効化する指示）の入力があるまで（ステップＳ２１）、主制御部１は待機している。
【００４２】
赤外線センサ１７が人体を検知すると（ステップＳ１１でＹＥＳ）、主制御部１はＣＣＤカメラ１８に撮像を行なわせ（ステップＳ１２）、異常情報を作成する（ステップＳ１３）。なお、ＣＣＤカメラ１８が撮像した画像（静止画または動画）は画像メモリ５またはＲＡＭ４に一時記憶される。
【００４３】
ここで、異常情報とは、異常が発生した旨を所定の通報先、たとえば警備会社等へ通知するための異常通知メッセージ記憶部４１に記憶されている異常通知メッセージと、上述のようなＣＣＤカメラ１８が撮像した画像とをセットにした情報である。
【００４４】
次に、主制御部１はステップＳ１３で作成した異常情報をファクシミリ送信または電子メールにより所定の送信先へ送信する（ステップＳ１４）。異常情報をファクシミリ送信する場合は、主制御部１はＲＡＭ４の異常通知メッセージ記憶部４１に記憶されている「異常が発生しました。」等のようなテキストデータの異常通知メッセージを読み出すと共に、画像メモリ５またはＲＡＭ４に一時記憶されているＣＣＤカメラ１８が撮像した画像を読み出し、両者をコーデック６でファクシミリ通信用のデータに符号化し、モデム１０，ＮＣＵ１１を制御してファクシミリ送信する。なお、ファクシミリデータに符号化された後のデータを電子メールファクシミリとしてＬＡＮＩ／Ｆ１６を制御して通信網１０２からインターネットへ送信してもよい。
【００４５】
また、異常情報を電子メールで送信する場合は、主制御部１はＲＡＭ４の異常通知メッセージ記憶部４１に記憶されている「異常が発生しました。」等のようなテキストデータの異常通知メッセージを読み出して電子メールの本文にすると共に、画像メモリ５またはＲＡＭ４に一時記憶されているＣＣＤカメラ１８が撮像した画像を読み出して電子メールの添付ファイルとし、モデム１０，ＮＣＵ１１を制御して、またはＬＡＮＩ／Ｆ１６を制御して送信する。
【００４６】
次に主制御部１は音声メッセージメモリ７の威嚇用メッセージ記憶部７０に音声データとして記憶されている威嚇用メッセージ、たとえば「あなたをさつえいしました」「がぞうはすでにけいびがいしゃへおくりました」等のようなメッセージを、メッセージ発生制御部８に読み出させてスピーカ９から音声出力させる（ステップＳ１５）。この後、主制御部１は異常を検知したことをたとえばＲＡＭ４に異常検知履歴として検知時刻等の情報と併せて追加記憶する（ステップＳ１６）。
【００４７】
一方、監視モードを一時的に解除する指示（監視モードを無効化する指示）の入力があると（ステップＳ２１でＹＥＳ）、具体的にはたとえばガードマンが巡回中に赤外線センサ１７の検知範囲外から「けいほうをかいじょしてください」等のような解除用メッセージを発声すると、この音声がマイクロフォン２０により取り込まれ、音声入力部１９から音声認識部２１に与えられる。音声認識部２１は与えられた音声の情報をテキストデータに変換する。主制御部１はこの音声認識部２１が変換した後のテキストデータとＲＡＭ４の解除／復帰用メッセージ記憶部４０にテキストデータの形で記憶されているメッセージとを照合する（ステップＳ２２）。この照合結果が一致した場合は（ステップＳ２３でＹＥＳ）、主制御部１は監視モードを一時的に解除（無効化）する（ステップＳ２４）。
【００４８】
このようにして監視モードが一時的に解除された場合には、赤外線センサ１７の検知範囲にガードマンが侵入したとしても、主制御部１は異常情報の作成等の処理を行なわない。
【００４９】
一方、ステップＳ２３において照合結果が不一致であった場合は（ステップＳ２３でＮＯ）、主制御部１は前述のステップＳ１２へ処理を移し、前述したステップＳ１３乃至Ｓ１６の処理を行なう。これにより、たとえ赤外線センサ１７が侵入者を検知せずとも、ある程度以上の音量、たとえばドアまたは窓が破壊されたような場合の音がマイクロフォン２０に入力された場合には異常発生として前述同様の処理が行なわれる。
【００５０】
なお、たとえば携帯電話機１０４から本発明の複合機１００へ発呼して回線接続し、上述同様に「けいほうをかいじょしてください」等のような解除用メッセージを携帯電話機１０４を通して送話すると、この音声が外部（公衆）通信網１０１，ＮＣＵ１１から音声入力部１９へ入力されて音声認識部２１に与えられる。従って、この場合もマイクロフォン２０から直接音声入力があった場合と同様に、音声認識部２１は与えられた音声の情報をテキストデータに変換し、この変換した後のテキストデータとＲＡＭ４の解除／復帰用メッセージ記憶部４０にテキストデータの形で記憶されているメッセージとが照合される。照合結果の一致／不一致による以降の処理は前述同様である。
【００５１】
このように、本発明の複合機１００では、赤外線センサ１７の検知範囲外から直接監視モード解除用の音声メッセージにより監視モードを解除することが可能であると共に、携帯電話機１０４等を通じて同様の解除用の音声メッセージを送話することによっても監視モードを解除することが可能である。
【００５２】
上述のようにして監視モードが一時的に解除された後、主制御部１は監視モードに復帰するための指示（監視モードを有効化する指示）の入力があるまで所定時間待機する（ステップＳ２５でＮＯ、Ｓ２６でＮＯ）。但し、この待機期間中に所定時間が経過すると（ステップＳ２６でＹＥＳ）、主制御部１はステップＳ１２へ処理を移し、前述したステップＳ１３乃至Ｓ１６の処理を行なう。これにより、たとえばガードマンが監視モードを一時的に解除した後に監視モードに復帰させるのを忘れて立ち去ったような場合、または監視モードが一時的に解除されている間になんらかの異常事態が発生したような場合にも異常発生として前述同様の処理が行なわれる。
【００５３】
所定時間経過以前に監視モードに復帰するための指示（監視モードを有効化する指示）の入力があった場合（ステップＳ２５でＹＥＳ）、具体的には、たとえばガードマンが復帰用メッセージ、たとえば「けいほうをせっていしてください」等のようなメッセージを赤外線センサ１７の検知範囲外から発声すると、この音声がマイクロフォン２０により取り込まれ、音声入力部１９から音声認識部２１に与えられる。音声認識部２１は与えられた音声の情報をテキストデータに変換する。主制御部１はこの音声認識部２１が変換した後のテキストデータとＲＡＭ４の解除／復帰用メッセージ記憶部４０にテキストデータの形で記憶されているメッセージとを照合する（ステップＳ２７）。この照合結果が一致した場合は（ステップＳ２８でＹＥＳ）、主制御部１は監視モードに復帰（監視モードを有効化）する（ステップＳ２９）。
【００５４】
但し、上述のステップＳ２５における監視モードに復帰するための指示（監視モードを有効化する指示）の入力は、上述のような音声によるメッセージのみならず、複合機１００に備えられた所定の監視モード復帰用スイッチの操作によることとしてもよい。なおこの場合、複合機１００に備えられた監視モード復帰用スイッチが操作されると同時に監視モードに復帰すると、その時点で異常発生となるため、監視モード復帰用スイッチが操作された時点から所定時間、たとえば数分間後に実際に監視モードに復帰するようにしておく必要がある。
【００５５】
なお、ステップＳ２８において照合結果が不一致であった場合は（ステップＳ２８でＮＯ）、主制御部１は前述のステップＳ１２へ処理を移し、前述したステップＳ１３乃至Ｓ１６の処理を行なう。これにより、たとえば侵入者が正当な解除用メッセージを使用して監視モードを一時的に解除した後に監視モードに復帰させることができなかったような場合にも異常発生として前述同様の処理が行なわれる。
【００５６】
なお、たとえば携帯電話機１０４から本発明の複合機１００へ発呼して回線接続し、上述同様に「けいほうをかいじょしてください」等のような復帰用メッセージを携帯電話機１０４を通して送話すると、この音声が外部（公衆）通信網１０１，ＮＣＵ１１から音声入力部１９へ入力されて音声認識部２１に与えられる。従って、この場合もマイクロフォン２０から直接音声入力があった場合と同様に、音声認識部２１は与えられた音声の情報をテキストデータに変換し、この変換した後のテキストデータとＲＡＭ４の解除／復帰用メッセージ記憶部４０にテキストデータの形で記憶されているメッセージとが照合される。照合結果の一致／不一致による以降の処理は前述同様である。
【００５７】
このように、本発明の複合機１００では、赤外線センサ１７の検知範囲外から直接復帰用の音声メッセージにより監視モードに復帰させることが可能であると共に、携帯電話機１０４等を通じて同様の復帰用の音声メッセージを送話することによっても監視モードに復帰させることが可能である。
【００５８】
【発明の効果】
以上に詳述したように本発明の通信端末装置によれば、検知手段による検知結果を無効にすることが音声入力により容易に可能になるので、多数の部屋それぞれに警報装置が設置されているような場合にも煩瑣な操作が不要になる。
【００５９】
また本発明の通信端末装置によれば、検知手段による検知結果を無効にした後に再度有効にすることも音声入力により容易に可能になるので、多数の部屋それぞれに警報装置が設置されているような場合にも煩瑣な操作が不要になる。
【００６０】
また本発明の通信端末装置によれば、マイクロフォンが集音した音声メッセージにより、検知手段による異常状態の検知を無効にし、また有効にすることが可能になるので、現場において直接音声入力により検知手段による異常状態の検知を無効にし、また有効にすることができる。
【００６１】
また本発明の通信端末装置によれば、携帯通話装置、具体的には携帯電話機からの送話により、検知手段による異常状態の検知を無効にし、また有効にすることが可能になるので、現場にいるガードマン等の要請で、現場にいない管理者等が検知手段による異常状態の検知を無効にし、また有効にすることができる。
【００６２】
また本発明の通信端末装置によれば、他の端末装置へ異常が発生した旨を送信するのに伴って、音声再生手段、具体的にはスピーカから警告メッセージ記憶手段に記憶されている警告メッセージが音声で再生出力されるので、侵入者に対して威嚇効果を発揮する。
【図面の簡単な説明】
【図１】本発明に係る通信端末装置としての複合機の概略の外観を示す模式図である。
【図２】本発明に係る通信端末装置としての複合機の機能構成例を示すブロック図である。
【図３】本発明に係る通信端末装置としての複合機の監視モードにおける主制御部の処理手順を示すフローチャートである。
【符号の説明】
１    主制御部（ＣＰＵ）
４    ＲＡＭ
４０  解除／復帰用メッセージ記憶部
４１  異常通知メッセージ記憶部
５    画像メモリ
６    コーデック
７    音声メッセージメモリ
７０  威嚇用メッセージ記憶部
８    メッセージ発生制御部
９    スピーカ
１０  モデム
１１  ＮＣＵ
１３  プリンタ
１４  操作部
１５  表示部
１６  ＬＡＮ  Ｉ／Ｆ
１７  赤外線センサ
１８  ＣＣＤカメラ
１９  音声入力部
２０  マイクロフォン
２１  音声認識部
１０４  携帯電話機
１４０  モード切換キー
【図１】
2004206635.tif 000003
【図２】
2004206635.tif 000004
【図３】
2004206635.tif 000005